【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
複数の異なる出力レベルで無線信号を送信するように構成された送信機／受信機モジュールと、
前記送信機／受信機モジュールに結合され、初期出力レベルで前記無線信号を送信したときに検出されるＲＦＩＤタグの数に基づいて前記無線信号が送信される出力レベルを制御するように構成された制御モジュールと
を含む無線識別（ＲＦＩＤ）リーダー。
【請求項２】
前記初期出力レベルで２つ以上のＲＦＩＤタグが検出された場合には、前記制御モジュールは、
前記初期出力レベルが最小出力レベルであるかどうかを特定し、
前記初期出力レベルが前記最小出力レベルでない場合には前記出力レベルを低下させ、さらに
前記初期出力レベルが前記最小出力レベルである場合には失敗を表示する
ようにさらに構成されている、請求項１に記載のＲＦＩＤリーダー。
【請求項３】
前記初期出力レベルで１つのＲＦＩＤタグのみが検出された場合には、前記制御モジュールは、
前記検出されたＲＦＩＤタグからの情報を収集し、さらに
前記初期出力レベルをデータベースに保存する
ように構成されている、請求項１又は２に記載のＲＦＩＤリーダー。
【請求項４】
前記初期出力レベルで１つのＲＦＩＤタグのみが検出された場合には、前記制御モジュールは、
前記保存されている初期出力レベルから最適な出力レベルを計算し、さらに
計算された前記最適な出力レベルを前記データベースに保存する
ようにさらに構成されている、請求項３に記載のＲＦＩＤリーダー。
【請求項５】
前記初期出力レベルでＲＦＩＤタグが１つも検出されなかった場合には、前記制御モジュールは、
前記初期出力レベルが最大出力レベルであるかどうかを特定し、
前記初期出力レベルが前記最大出力レベルでない場合には前記出力レベルを増加させ、さらに
前記初期出力レベルが前記最大出力レベルである場合には失敗を表示する
ように構成されている、請求項１から４のいずれか一項に記載のＲＦＩＤリーダー。
【請求項６】
前記制御モジュールは、
構成情報を受信し、
位置情報を特定し、さらに
ＲＦＩＤタグを含む少なくとも１つの対象物の位置を確認するため前記構成情報と位置情報を統合する
ようにさらに構成されている、請求項１から５のいずれか一項に記載のＲＦＩＤリーダー。
【請求項７】
前記構成情報が航空機の乗客収容設備レイアウトである、請求項１から６のいずれか一項に記載のＲＦＩＤリーダー。
【請求項８】
無線識別（ＲＦＩＤ）リーダーを操作するための方法であって、前記方法は、
初期出力レベルで前記ＲＦＩＤリーダーから無線信号を送信することと、
処理装置を使用して、前記初期出力レベルで前記無線信号を送信したときに検出されるＲＦＩＤタグの数を特定することと、さらに
前記処理装置を使用して、検出された前記ＲＦＩＤタグの数に基づいて前記ＲＦＩＤリーダーの出力レベルを制御することと
を含む方法。
【請求項９】
前記初期出力レベルで２つ以上のＲＦＩＤタグが検出された場合には、前記方法は、
前記初期出力レベルが最小出力レベルであるかどうかを特定することと、
前記初期出力レベルが前記最小出力レベルでない場合には前記出力レベルを低下させることと、さらに
前記初期出力レベルが前記最小出力レベルである場合には失敗を表示することと
をさらに含む、請求項８に記載の方法。
【請求項１０】
前記初期出力レベルで１つのＲＦＩＤタグのみが検出された場合には、前記方法は、
前記検出されたＲＦＩＤタグからの情報を収集することと、さらに
前記初期出力レベルをデータベースに保存することと
をさらに含む、請求項８又は９に記載の方法。
【請求項１１】
前記初期出力レベルで１つのＲＦＩＤタグのみが検出された場合には、前記方法は、
前記保存されている初期出力レベルから最適な出力レベルを計算することと、さらに
計算された前記最適な出力レベルを前記データベースに保存することと
をさらに含む、請求項１０に記載の方法。
【請求項１２】
前記初期出力レベルでＲＦＩＤタグが１つも検出されなかった場合には、前記方法は、
前記初期出力レベルが最大出力レベルであるかどうかを特定することと、
前記初期出力レベルが前記最大出力レベルでない場合には前記出力レベルを増加させることと、さらに
前記初期出力レベルが前記最大出力レベルである場合には失敗を表示することと
をさらに含む、請求項８から１１のいずれか一項に記載の方法。
【請求項１３】
前記処理装置で、構成情報を受信することと、
位置情報を特定することと、さらに
前記処理装置で、ＲＦＩＤタグを含む少なくとも１つの対象物の位置を確認するため前記構成情報と位置情報を統合することと
をさらに含む、請求項８から１２のいずれか一項に記載の方法。
【請求項１４】
構成情報を受信することは航空機の乗客収容設備レイアウトを受信することを含む、請求項１３に記載の方法。
【請求項１５】
少なくとも１つの対象物の位置を確認するための方法であって、前記方法は、
処理装置で、構成情報を受信することと、
位置情報を特定することと、
無線識別（ＲＦＩＤ）リーダーを使用して、少なくとも１つの対象物に関連付けられた少なくとも１つのＲＦＩＤタグをスキャンすることであって、
初期出力レベルで前記ＲＦＩＤリーダーから無線信号を送信することと、前記処理装置を使用して、前記初期出力レベルで前記無線信号を送信したときに検出されるＲＦＩＤタグの数に基づいて前記ＲＦＩＤリーダーの出力レベルを制御することとを含み、前記少なくとも１つのＲＦＩＤタグのうちの厳密に１つだけがスキャンされるまで前記出力レベルが制御される、スキャンすることと、
前記処理装置を使用して、前記少なくとも１つの対象物の前記位置を確認するため前記構成情報と位置情報を統合することと
を含み、さらに
位置情報を特定することは複数の他の対象物に対して位置情報を特定することを含み、且つ前記構成情報と位置情報を統合することは前記複数の他の対象物に対して前記少なくとも１つの対象物の位置を確認するため前記構成情報と位置情報を統合することを含む、
少なくとも１つの対象物の位置を確認するための方法。
【請求項１６】
複数の異なる出力レベルで無線信号を複数のＲＦＩＤタグへ送信するように構成された送信機／受信機モジュールと、
タグが付けられた対象物の問合せのための最適な出力レベルとなるように予め決定された初期出力レベルを保存するように構成されたデータベースと、
前記送信機／受信機モジュールと前記データベースとに結合された制御モジュールと、
を含む無線識別（ＲＦＩＤ）リーダーであって、
前記制御モジュールは、
前記データベースから、前記タグが付けられた対象物の問合せのための前記初期出力レベルを読み出し、
前記初期出力レベルで無線信号を送信し、
前記タグが付けられた対象物に関連するＲＦＩＤの数を検知し、
前記初期出力レベルで前記無線信号を送信したときに検出される前記ＲＦＩＤタグの数に基づいて、前記無線信号が送信される複数の異なる出力レベルを含む送信出力レベルを制御し、
前記制御された送信出力レベルと前記検知されたＲＦＩＤタグの数とに基づき、前記初期出力レベルを更新し、
前記初期出力レベルと前記ＲＦＩＤリーダーの位置情報とに基づき、少なくとも１つの前記ＲＦＩＤタグの位置を決定する、ＲＦＩＤリーダー。
【手続補正２】
【補正対象書類名】明細書
【補正対象項目名】０００４
【補正方法】変更
【補正の内容】
【０００４】
１つの態様では、無線識別（ＲＦＩＤ）リーダーが提供される。ＲＦＩＤリーダーは、複数の異なる出力レベルで無線信号を送信するように構成された送信機／受信機モジュールと、送信機／受信機モジュールに結合され、初期出力レベルで無線信号を送信したときに検出されるＲＦＩＤタグの数に基づいて無線信号が送信される出力レベルを制御するように構成された制御モジュールとを含む。
【手続補正３】
【補正対象書類名】明細書
【補正対象項目名】０００５
【補正方法】変更
【補正の内容】
【０００５】
別の態様では、無線識別（ＲＦＩＤ）リーダーを操作する方法が提供される。方法は、初期出力レベルでＲＦＩＤリーダーから無線信号を送信することと、処理装置を使用して、初期出力レベルで無線信号を送信したときに検出されるＲＦＩＤタグの数を特定することと、処理装置を使用して、検出されたＲＦＩＤタグの数に基づいてＲＦＩＤリーダーの出力レベルを制御することとを含む。
【手続補正４】
【補正対象書類名】明細書
【補正対象項目名】０００７
【補正方法】変更
【補正の内容】
【０００７】
別の態様では、複数の異なる出力レベルで無線信号を送信するように構成された送信機／受信機モジュールと；送信機／受信機モジュールに結合され、初期出力レベルで無線信号を送信したときに検出されるＲＦＩＤタグの数に基づいて無線信号が送信される出力レベルを制御するように構成された制御モジュールとを含む、無線識別（ＲＦＩＤ）リーダーが提供される。
【手続補正５】
【補正対象書類名】明細書
【補正対象項目名】００１４
【補正方法】変更
【補正の内容】
【００１４】
別の態様では、無線識別（ＲＦＩＤ）リーダーを操作するための方法であって、初期出力レベルでＲＦＩＤリーダーから無線信号を送信することと；処理装置を使用して、初期出力レベルで無線信号を送信したときに検出されるＲＦＩＤタグの数を特定することと；処理装置を使用して、検出されたＲＦＩＤタグの数に基づいてＲＦＩＤリーダーの出力レベルを制御することとを含む、方法が提供される。
【手続補正６】
【補正対象書類名】明細書
【補正対象項目名】００２５
【補正方法】変更
【補正の内容】
【００２５】
別の態様では、少なくとも１つのＲＦＩＤタグをスキャンすることは、初期出力レベルでＲＦＩＤリーダーから無線信号を送信することと；処理装置を使用して、初期出力レベルで無線信号を送信したときに検出されるＲＦＩＤタグの数に基づいてＲＦＩＤリーダーの出力レベルを制御することとを含み、少なくとも１つのＲＦＩＤタグのうちの厳密に１つだけがスキャンされるまで出力レベルが制御される、方法が提供される。
【手続補正７】
【補正対象書類名】明細書
【補正対象項目名】００３０
【補正方法】変更
【補正の内容】
【００３０】
本明細書に記載されている方法とシステムの技術的効果には、（ａ）初期出力レベルでＲＦＩＤリーダーからの無線信号を送信すること；（ｂ）処理装置を使用して、初期出力レベルで無線信号を送信したときに検出されるＲＦＩＤタグの数を特定すること；及び（ｃ）検出されたＲＦＩＤタグの数に基づいてＲＦＩＤリーダーの出力レベルを制御することが含まれる。本明細書に記載されている方法とシステムの技術的効果には、さらに、（ａ）構成情報を受信すること；（ｂ）位置情報を特定すること；（ｃ）少なくとも１つの対象物に関連付けられた少なくとも１つのＲＦＩＤタグをスキャンすること；及び（ｄ）少なくとも１つの対象物の位置を確認するため構成情報と位置情報を統合すること、のうちの少なくとも１つが含まれる。
【手続補正８】
【補正対象書類名】明細書
【補正対象項目名】００５７
【補正方法】変更
【補正の内容】
【００５７】
ブロック４１０ではＲＦＩＤタグ応答の数が特定される。すなわち、処理装置２２２は、問い合わせ無線信号に応答して、いくつのＲＦＩＤタグ１０４が応答無線信号を送信したかを特定する。２つ以上のＲＦＩＤタグ１０４が応答した場合には、フローはブロック４１２へ進む。ＲＦＩＤタグ１０４が１つも応答しなかった場合には、フローはブロック４１４へ進む。ちょうど１つのＲＦＩＤタグ１０４が応答した場合には、フローはブロック４１６へ進む。